(57)【要約】【課題】個体識別情報を発信するための発信装置において、その発信開始操作を容易に行えるようにする。【解決手段】個体識別情報を電波で発信し得るように構成された発信ユニット２０が、吊下げ部材４０によって基準構造体２に対して上下方向に変位可能な態様で吊り下げられた構成とする。そして、発信ユニット２０に対して所定値以上の振動加速度を加える発信開始操作が行われたとき、発信ユニット２０から個体識別情報が発信される構成とする。これにより、患者６が発信ユニット２０を引っ張ったり揺らしたりするだけの簡単な操作で看護師の呼出し等を行えるようにする一方、単に発信ユニット２０に触れたりしただけでは個体識別情報が不用意に発信されてしまわないようにする。また、発信ユニット２０を、吊下げ部材４０を介して基準構造体２に吊り下げられた構成とすることにより、その配置の自由度を三次元的に高め、発信開始操作を容易にする。【選択図】図５
2018056846.tif 000002
【特許請求の範囲】
【請求項１】
個体識別情報を発信するための発信装置であって、
上記個体識別情報を電波で発信し得るように構成された発信ユニットと、この発信ユニットを基準構造体に対して上下方向に変位可能な態様で吊り下げる吊下げ部材とを備えており、
上記発信ユニットは、該発信ユニットに対して所定値以上の振動加速度を加える発信開始操作が行われたとき上記個体識別情報を発信するように構成されている、ことを特徴とする発信装置。
【請求項２】
上記発信ユニットは、上記発信開始操作の際の振動加速度によって発電を行う振動発電機としての機能を備えている、ことを特徴とする請求項１記載の発信装置。
【請求項３】
上記発信ユニットは、導電コイルを備えた第１ユニットとマグネットを備えた第２ユニットとを備えており、上記第１および第２ユニットが相対的に振動することにより上記導電コイルに誘導起電力を生じさせるように構成されている、ことを特徴とする請求項２記載の発信装置。
【請求項４】
上記発信ユニットに操作紐が吊り下げられている、ことを特徴とする請求項１〜３いずれか記載の発信装置。
【請求項５】
上記操作紐の上端部に鈴が取り付けられている、ことを特徴とする請求項４記載の発信装置。
【請求項６】
請求項１〜５いずれか記載の発信装置から発信された上記個体識別情報を処理するための個体識別情報処理システムであって、
上記発信装置から発信された上記個体識別情報を受信するとともに該個体識別情報を受信したことを報知するように構成されている、ことを特徴とする個体識別情報処理システム。
【発明の詳細な説明】
【技術分野】
【０００１】
本願発明は、個体識別情報を発信するための発信装置およびその発信情報を処理するための個体識別情報処理システムに関するものである。
【背景技術】
【０００２】
従来より、個体識別情報を発信するための発信装置が知られている。
【０００３】
「特許文献１」には、このような発信装置として、入院している患者がベッドサイドに設置されたナースコールボタンを押すことによって、その患者を識別するための個体識別情報を発信し、これにより看護師の呼出し等を行うように構成されたものが記載されている。
【先行技術文献】
【特許文献】
【０００４】
【特許文献１】特開２０１６−７７５２２号公報
【発明の概要】
【発明が解決しようとする課題】
【０００５】
上記「特許文献１」に記載された発信装置においては、患者が個体識別情報を発信する際にナースコールボタンを押す必要があるが、ベッドの周辺においてナースコールボタンを配置し得る場所は自ずと限られてしまうので、個体識別情報を発信する際の操作の自由度が低く、発信開始操作を行うことが容易ではない。
【０００６】
本願発明は、このような事情に鑑みてなされたものであって、個体識別情報を発信するための発信装置において、その発信開始操作を容易に行うことができる発信装置を提供すること、および発信された個体識別情報を処理するための個体識別情報処理システムを提供することを目的とするものである。
【課題を解決するための手段】
【０００７】
本願発明は、発信開始操作の仕方に工夫を施すことにより、上記目的達成を図るようにしたものである。
【０００８】
すなわち、本願発明に係る発信装置は、
個体識別情報を発信するための発信装置であって、
上記個体識別情報を電波で発信し得るように構成された発信ユニットと、この発信ユニットを基準構造体に対して上下方向に変位可能な態様で吊り下げる吊下げ部材とを備えており、
上記発信ユニットは、該発信ユニットに対して所定値以上の振動加速度を加える発信開始操作が行われたとき上記個体識別情報を発信するように構成されている、ことを特徴とするものである。
【０００９】
上記「個体識別情報」は、発信元である発信ユニットに関連づけられた情報であれば、その具体的な内容は特に限定されるものではなく、例えば、発信ユニットのシリアル番号や、病院または介護施設における患者または入居者の氏名やベッド番号、あるいは工場における製造ラインのブース番号等が採用可能である。
【００１０】
上記「基準構造体」は、発信ユニットを吊り下げる際の基準となる構造体を意味するものであって、特定の構造体に限定されるものではなく、例えば部屋の天井や梁あるいはハンガーパイプ等が採用可能である。
【００１１】
上記「吊下げ部材」は、発信ユニットを基準構造体に対して上下方向に変位可能な態様で吊り下げることができる部材であれば、その具体的な構成は特に限定されるものではなく、例えばコイルスプリングや帯状のゴム等の弾性部材あるいは伸縮自在のリール付コード等が採用可能である。
【００１２】
上記「発信開始操作」は、発信ユニットに対して所定値以上の振動加速度を加える操作であれば、その具体的な操作内容は特に限定されるものではく、例えば発信ユニットを引っ張る操作や発信ユニットを振る操作等が採用可能である。
【００１３】
上記「所定値以上の振動加速度」の具体的な値は特に限定されるものではく、例えば０．１Ｇ以上の振動加速度に設定することが可能である。
【００１４】
上記「発信ユニット」は、所定値以上の振動加速度を加える発信開始操作によって個体識別情報を電波で発信する構成となっているが、これを実現するための具体的な構成は特に限定されるものではない。
【発明の効果】
【００１５】
本願発明に係る発信装置は、発信ユニットが基準構造体に対して吊下げ部材によって上下方向に変位可能な態様で吊り下げられており、この発信ユニットに対して所定値以上の振動加速度を加える発信開始操作が行われたとき、発信ユニットから個体識別情報が電波で発信される構成となっているので、次のような作用効果を得ることができる。
【００１６】
すなわち、発信ユニットは上下方向に変位可能な態様で吊り下げられているので、個体識別情報を発信しようとする主体が発信ユニットを引っ張ったり揺らしたりするだけで発信開始操作を行うことができる。
【００１７】
一方、発信開始操作として発信ユニットに対して所定値以上の振動加速度を加えることが必要となるので、単に発信ユニットに触れたりしただけで個体識別情報が不用意に発信されてしまうのを未然に防止することができる。
【００１８】
また、発信ユニットは吊下げ部材を介して基準構造体に吊り下げられた構成となっているので、発信ユニットを配置する際の自由度を三次元的に高めることができ、これにより発信開始操作を容易に行うことができる。
【００１９】
このように本願発明によれば、個体識別情報を発信するための発信装置において、その発信開始操作を容易に行うことができる。
【００２０】
したがって、この発信装置を病院や介護施設あるいは工場等において利用しやすいものとすることができる。
【００２１】
上記構成において、発信ユニットの構成として、発信開始操作の際の振動加速度によって発電を行う振動発電機としての機能を備えたものとすれば、電池等を用いることなく個体識別情報を発信することができる。したがって、電池交換を不要とすることができ、また、電池切れによって個体識別情報が発信されなくなってしまうおそれをなくすことができ、これにより必要なときには常に個体識別情報の発信が行われるようにすることができる。
【００２２】
このような振動発電機としての機能を備えた発信ユニットの構成として、導電コイルを備えた第１ユニットとマグネットを備えた第２ユニットとを備え、第１および第２ユニットが相対的に振動することにより導電コイルに誘導起電力を生じさせる構成とすれば、次のような作用効果を得ることができる。
【００２３】
すなわち、発信ユニットは基準構造体に吊下げ部材を介して吊り下げられているので、これを下方に引っ張ったり左右に振ったりする操作は極めて自然に行われ得る操作であるが、このような操作によって第１および第２ユニットの相対振動による振動発電が効率良く行われるようにすることができる。
【００２４】
その際、吊下げ部材は発信ユニットを基準構造体に対して上下方向に変位可能な態様で吊り下げているので、発信ユニットを下方に引っ張ったり左右に振ったりしたとき、吊下げ部材と発信ユニットあるいは基準構造体との連結部分に過大な力が作用してしまうのを未然に防止することができる。
【００２５】
上記構成において、発信ユニットに操作紐が吊り下げられた構成とすれば、この操作紐を下方へ引っ張ったり左右に振ったりすることにより、発信ユニットに所定値以上の振動加速度を加えることが容易に可能となる。
【００２６】
その際、操作紐の上端部に鈴が取り付けられた構成とすれば、発信開始操作と共に鈴が鳴るようにすることができる。したがって、個体識別情報を発信する主体に対して鈴を鳴らす操作を促すようにすれば、結果として発信開始操作が容易に行われるようにすることができる。
【００２７】
一方、本願発明に係る個体識別情報処理システムは、上記発信装置から発信された個体識別情報を処理するためのシステムとして、発信装置から発信された個体識別情報を受信するとともに該個体識別情報を受信したことを報知するように構成されているので、発信装置から発信された個体識別情報に対して受信側の主体が必要な対応措置を採るようにすることが容易に可能となる。
【図面の簡単な説明】
【００２８】
【図１】（ａ）は本願発明の一実施形態に係る発信装置を示す正面図、（ｂ）、（ｃ）は上記発信装置の基本的な使用態様を示す（ａ）と同様の図
【図２】上記発信装置の発信ユニットを単品で示す部分断面正面図
【図３】上記発信装置の作用を説明するための要部正面図
【図４】上記発信装置のいくつかの使用態様を説明するための正面図
【図５】上記発信装置から発信された個体識別情報を処理するための個体識別情報処理システムを示すシステム構成図
【図６】上記発信装置の３つの変形例を示す正面図
【図７】上記個体識別情報処理システムの変形例を示すシステム構成図
【発明を実施するための形態】
【００２９】
以下、図面を用いて、本願発明の実施の形態について説明する。
【００３０】
図１（ａ）は、本願発明の一実施形態に係る発信装置１０を示す正面図である。また、図５は、この発信装置１０から発信された個体識別情報を処理するための個体識別情報処理システム１００を示すシステム構成図である。
【００３１】
図５に示すように、本実施形態に係る発信装置１０は、病院内において患者６がその個体識別情報を発信するために用いられる装置であって、その発信開始操作によって看護師の呼出し等の意思表示を行い得るように構成されている。
【００３２】
まず、発信装置１０の構成について説明する。
【００３３】
図１（ａ）に示すように、発信装置１０は、個体識別情報を電波で発信し得るように構成された発信ユニット２０と、この発信ユニット２０を基準構造体（具体的には病室の天井）２に対して上下方向に変位可能な態様で吊り下げる吊下げ部材４０と、発信ユニット２０に吊り下げられた操作紐５０と、この操作紐５０の上端部に取り付けられた鈴６０とを備えた構成となっている。
【００３４】
発信ユニット２０は、第１ユニット２０Ａと、この第１ユニット２０Ａに対して上下方向に振動し得るように構成された第２ユニット２０Ｂとを備えている。この発信ユニット２０は、第１および第２ユニット２０Ａ、２０Ｂの相対振動によって発電を行う振動発電機としての機能を備えている（その具体的な構成については後述する）。
【００３５】
そして、この発信ユニット２０は、該発信ユニット２０に対して上下方向の所定値以上の振動加速度（具体的には０．１Ｇ以上の振動加速度）を加える発信開始操作が行われることによって、第１および第２ユニット２０Ａ、２０Ｂが上下方向に相対的に振動して発電し、この発電によって得られた電力を利用して個体識別情報の発信を行うようになっている。
【００３６】
第１ユニット２０Ａは、やや縦長の略直方体形状を有しており、その上下両端部には取付け部２０Ａａ、２０Ａｂが形成されている。第２ユニット２０Ｂは、この第１ユニット２０Ａに収容されている。
【００３７】
吊下げ部材４０は、金属製（または樹脂製）のコイルバネで構成されており、その下端部が発信ユニット２０の取付け部２０Ａａに連結されている。そして、この吊下げ部材４０は、その上端部において基準構造体２の支持具２ａに取り付けられるようになっている。
【００３８】
操作紐５０は、その上端部において発信ユニット２０の取付け部２０Ａｂに連結されている。この操作紐５０の下端部には、球状のツマミ５２が取り付けられている。
【００３９】
図１（ｂ）、（ｃ）は、発信装置１０の基本的な使用態様を示す正面図である。
【００４０】
図１（ｂ）に示すように、本実施形態に係る発信装置１０においては、患者６がツマミ５２を掴んで操作紐５０を下方へ引っ張ることにより、発信ユニット２０に上下方向の所定値以上の振動加速度を加える操作が行われ、これにより第１および第２ユニット２０Ａ、２０Ｂが上下方向に相対的に振動して発電が行われ、さらにこれにより個体識別情報の発信が行われるようになっている。
【００４１】
その際、操作紐５０が下方へ引っ張られることによって吊下げ部材４０が弾性変形して伸び、また、このとき鈴６０が上下方向に揺られて鳴るようになっている。
【００４２】
したがって、本実施形態に係る発信装置１０においては、予め患者６に対して看護師の呼出し等が必要になったときには鈴６０を鳴らすように説明しておけば、たとえ患者６が発信ユニット２０の機能を全く理解していなくても、鈴６０を鳴らすために操作紐５０を引っ張る操作を行うだけで、結果として個体識別情報の発信が行われることとなる。
【００４３】
図１（ｃ）に示すように、本実施形態に係る発信装置１０においては、操作紐５０を引っ張る方向が鉛直下方ではなく斜め下方である場合においても、第１および第２ユニット２０Ａ、２０Ｂが上下方向（正確には吊下げ部材４０が伸び縮みする方向）に相対的に振動して発電が行われ、また鈴６０が鳴るようになっている。
【００４４】
次に、発信ユニット２０の具体的な構成について説明する。
【００４５】
図２は、発信ユニット２０を単品で示す部分断面正面図である。
【００４６】
同図に示すように、発信ユニット２０は、電磁誘導型の振動発電機としての機能を備えている。
【００４７】
すなわち、発信ユニット２０の第１ユニット２０Ａは、やや縦長矩形状の正面形状を有するケース２２と、このケース２２内において該ケース２２に位置決め支持された縦長板状のコイルホルダ２４と、このコイルホルダ２４に形成されたコイル収容部に収容された導電コイル２６と、この導電コイル２６のコイル端末２６ａと電気的に接続された状態でコイルホルダ２４の上端部に支持された発信用回路基板２８とを備えている。
【００４８】
また、発信ユニット２０の第２ユニット２０Ｂは、コイルホルダ２６を囲むようにして上下方向に矩形筒状に延びるヨーク３２と、このヨーク３２に支持された前後２組のマグネット３４とを備えている。その際、前後２組のマグネット３４は、導電コイル２６の前後両側において上下２段で配置されている。
【００４９】
この第２ユニット２０Ｂは、左右１対のコイルバネ３０によって第１ユニット２０Ａに吊り支持されている。すなわち、左右１対のコイルバネ３０は、ケース２２内の左右上端部に形成された係止ピン２２ａに上端部が係止されており、ヨーク３２の左右上端部に形成された係止孔に下端部が係止されている。
【００５０】
そして、発信ユニット２０は、所定値以上の上下方向の振動加速度が加わると、第２ユニット２０Ｂが第１ユニット２０Ａに対して上下方向に振動し、これにより導電コイル２６に誘導起電力を生じさせて発電を行い、その電力により発信用回路基板２８から個体識別情報を電波で発信するようになっている。
【００５１】
その際、発信用回路基板２８から発信される個体識別情報は、発信ユニット２０のシリアル番号のみである。
【００５２】
また、発信用回路基板２８からの発信は、Ｂｌｕｅｔｏｏｔｈ（登録商標）  Ｌｏｗ  Ｅｎｅｒｇｙ（ＢＬＥ）やＥｎＯｃｅａｎ（登録商標）、ＺｉｇＢｅｅ（登録商標）等の近距離無線通信によって行われるようになっている。
【００５３】
図３は、発信装置１０の作用を説明するための要部正面図である。
【００５４】
図３（ａ）は、図１（ａ）の要部詳細図である。
【００５５】
図３（ａ）に示すように、操作紐５０の操作が行われていない状態では、発信ユニット２０には外力が作用していないので、第２ユニット２０Ｂは左右１対のコイルバネ３０により第１ユニット２０Ａに対して中立位置に吊り支持されている。
【００５６】
図３（ｂ）に示すように、図３（ａ）に示す状態から操作紐５０が下方へ引っ張られると、発信ユニット２０はその第１ユニット２０Ａが下方へ変位する。この下方変位は、吊下げ部材４０の引張弾性変形によって許容される。一方、第１ユニット２０Ａに吊り支持された第２ユニット２０Ｂは慣性力により中立位置から上方側へ相対変位するので、左右１対のコイルバネ３０が圧縮弾性変形する。
【００５７】
また、操作紐５０の上端部に取り付けられた鈴６０も、第１ユニット２０Ａが下方へ変位したとき、その慣性力により上方側へ回動変位して第１ユニット２０Ａに当接するので、このとき鈴６０が鳴る。
【００５８】
図３（ｃ）に示すように、下方へ変位した第１ユニット２０Ａを図３（ｂ）に示す位置で停止させた状態に維持したとすると、圧縮弾性変形した左右１対のコイルバネ３０の弾性反発力によって第２ユニット２０Ｂが下方側へ相対変位する。
【００５９】
また、上方側へ回動変位した鈴６０は、自重で下方側へ回動変位して操作紐５０に当接するので、このときにも鈴６０が鳴る。
【００６０】
そして、第１ユニット２０Ａを図３（ｃ）に示す位置で停止させた状態に維持し続けたとすると、引張弾性変形した左右１対のコイルバネ３０の弾性反発力によって第２ユニット２０Ｂが再び上方側へ相対変位し、これにより第２ユニット２０Ｂが第１ユニット２０Ａに対して上下方向に振動することとなる。
【００６１】
本実施形態に係る発信装置１０においては、発信ユニット２０の上下方向の変位に伴う第１および第２ユニット２０Ａ、２０Ｂの上下方向の振動が起こりやすくなるようにするため、吊下げ部材４０のバネ定数および弾性変形ストロークは、左右１対のコイルバネ３０のバネ定数および弾性変形ストロークよりも大きい値に設定されている。
【００６２】
図４は、発信装置１０のいくつかの使用態様を説明するための正面図である。
【００６３】
図４（ａ）に示す使用態様は、患者６がツマミ５２を掴んで操作紐５０を下方へ引っ張った後、ツマミ５２を掴んだまま上方へ戻す操作が繰り返される態様である。このツマミ５２を上方へ戻す操作は、下方へ弾性的に引っ張られた吊下げ部材４０が元の位置に復帰するのと同期して行われやすいものとなる。そして、この操作によって発信ユニット２０が上下方向に振動し、このとき第２ユニット２０Ｂは第１ユニット２０Ａに対して上下方向に振動する。
【００６４】
図４（ｂ）に示す使用態様は、患者６がツマミ５２を掴んで操作紐５０を下方へ引っ張った後、ツマミ５２を手から放す操作が行われる態様である。この操作によって、下方へ弾性的に引っ張られた吊下げ部材４０が元の位置に復帰しようとするので、これに伴って発信ユニット２０が上下方向に振動する。そして、この発信ユニット２０の振動により、第２ユニット２０Ｂが第１ユニット２０Ａに対して上下方向に振動する。
【００６５】
図４（ｃ）に示す使用態様は、患者６がツマミ５２を掴んで操作紐５０を下方へ引っ張った後、ツマミ５２を掴んだままの状態に維持する操作が行われる態様（図３において説明した態様）である。この操作によっても、下方へ変位したままの発信ユニット２０において、第２ユニット２０Ｂが第１ユニット２０Ａに対して上下方向に振動する。
【００６６】
図４（ｄ）に示す使用態様は、患者６がツマミ５２を掴んで操作紐５０を下方へ引っ張ることなく（あるいは引っ張った後）、ツマミ５２を左右方向に振る操作が行われる態様である。この操作によって、操作紐５０と共に発信ユニット２０も左右方向に振動するが、このとき吊下げ部材４０が伸び縮みする。これに伴って、発信ユニット２０も吊下げ部材４０が伸び縮みする方向に変位するので、第２ユニット２０Ｂが第１ユニット２０Ａに対してその長手方向に振動する。
【００６７】
このように図４（ａ）〜（ｄ）いずれの使用態様においても、発信ユニット２０に対して上下方向（正確には吊下げ部材４０が伸び縮みする方向）の所定値以上の振動加速度を加える発信開始操作が行われ、この発信開始操作の際の振動により得られた電力によって発信ユニット２０から個体識別情報が発信されることとなる。
【００６８】
また、図４（ａ）〜（ｄ）いずれの場合においても、発信ユニット２０の変位に伴って操作紐５０の上端部に取り付けられた鈴６０が振られて発信ユニット２０や操作紐５０に当接するので、鈴６０が鳴ることとなる。
【００６９】
次に、本実施形態に係る個体識別情報処理システム１００について説明する。
【００７０】
図５に示すように、この個体識別情報処理システム１００は、発信装置１０から発信された個体識別情報を処理するためのシステムであって、病院内のナースセンターに設置されたサーバー１１０を備えた構成となっている。
【００７１】
サーバー１１０は、送受信部１１２と信号処理部１１４とデータベース部１１６とを備えた構成となっている。
【００７２】
データベース部１１６には、入院患者に関するデータ（部屋番号、ベッド番号、入院患者の氏名等）がその個体識別情報（すなわち各入院患者のベッド４の上方に配置された発信装置１０における発信ユニット２０のシリアル番号）と共に蓄積されている。また、このデータベース部１１６には、看護師等の携帯端末（例えばスマートフォンやタブレット等）１３０や入院患者の家族等の携帯端末１４０のメールアドレス等の情報も蓄積されている。
【００７３】
サーバー１１０には、入院患者に関する情報を表示するための表示部１２２と、報知音を発生させるための発音部１２４とが接続されている。
【００７４】
送受信部１１２は、発信装置１０の発信ユニット２０から発信された電波（すなわち近距離無線通信によって送信された信号）を、直接あるいは中継器１０２により無線ＬＡＮや有線ＬＡＮあるいは電話回線等のネットワーク通信を介して受信するようになっている。また、送受信部１１２は、信号処理部１１４で処理した信号を、ネットワーク通信や近距離無線通信によって、表示部１２２や発音部１２４、携帯端末１３０、１４０等に送信するようになっている。
【００７５】
信号処理部１１４は、送受信部１１２で受信した信号に基づいて以下の処理を行うようになっている。すなわち、信号処理部１１４は、ある患者６が発信開始操作を行った発信装置１０の発信ユニット２０から発信された個体識別情報を送受信部１１２が受信すると、この個体識別情報に基づいてデータベース部１１６に蓄積されたデータと照合し、発信元の発信ユニット２０に対応する患者６を特定するようになっている。
【００７６】
上記のように構成されたサーバー１１０は、このようにして特定された患者６に関する情報を、送受信部１１２を介して表示部１２２に表示して視覚情報として報知するとともに発音部１２４において音声情報として報知するようになっている。
【００７７】
また、サーバー１１０は、特定の発信ユニット２０からの発信があったことを、その患者６に関する情報と共に直接または中継器１０４を介して病院内にいる看護師等の携帯端末１３０に送信し、これを報知するようになっている。
【００７８】
その際、送受信部１１２から中継器１０４への送信は、ネットワーク通信によって行われ、中継器１０４から携帯端末１３０への送信は、近距離無線通信によって行われるようになっている。また、送受信部１１２から携帯端末１３０へ直接送信が行われる場合には、ネットワーク通信または近距離無線通信によって送信が行われるようになっている。
【００７９】
さらに、サーバー１１０は、特定の発信ユニット２０からの発信があったことを、その患者６に関する情報と共に、送受信部１１２から電話回線等によって携帯電話会社の基地局１０６に送信し、この基地局１０６からさらに電話回線等によって病院外にいる患者６の家族等の携帯端末１４０に送信し、これを報知するようになっている。
【００８０】
なお、個体識別情報処理システム１００の構成として、患者６の発信ユニット２０から発信があったこと自体を、発音部１２４からブザー音等の警告音として聴覚的に報知したり、図示しないパイロットランプで視覚的に報知する構成とすることも可能である。
【００８１】
次に本実施形態の作用効果について説明する。
【００８２】
本実施形態に係る発信装置１０は、発信ユニット２０が基準構造体２に対して吊下げ部材４０によって上下方向に変位可能な態様で吊り下げられており、この発信ユニット２０に対して所定値以上の振動加速度を加える発信開始操作が行われたとき、発信ユニット２０から個体識別情報が電波で発信される構成となっているので、次のような作用効果を得ることができる。
【００８３】
すなわち、発信ユニット２０は上下方向に変位可能な態様で吊り下げられているので、看護師の呼出し等を行おうとする患者６（個体識別情報を発信しようとする主体）が発信ユニット２０を引っ張ったり揺らしたりするだけで発信開始操作を行うことができる。
【００８４】
一方、発信開始操作として発信ユニット２０に対して所定値以上の振動加速度を加えることが必要となるので、単に発信ユニット２０に触れたりしただけで個体識別情報が不用意に発信されてしまうのを未然に防止することができる。
【００８５】
また、発信ユニット２０は吊下げ部材４０を介して基準構造体２に吊り下げられた構成となっているので、発信ユニット２０を配置する際の自由度を三次元的に高めることができ、これにより発信開始操作を容易に行うことができる。
【００８６】
このように本実施形態によれば、個体識別情報を発信するための発信装置１０において、その発信開始操作を容易に行うことができる。
【００８７】
したがって、この発信装置１０を病院内において利用しやすいものとすることができる。
【００８８】
しかも本実施形態においては、発信ユニット２０が発信開始操作の際の振動加速度によって発電を行う振動発電機としての機能を備えているので、電池等を用いることなく個体識別情報を発信することができる。したがって、電池交換を不要とすることができ、また、電池切れによって個体識別情報が発信されなくなってしまうおそれをなくすことができ、これにより必要なときには常に個体識別情報の発信が行われるようにすることができる。
【００８９】
また、この発信ユニット２０は、導電コイル２６を備えた第１ユニット２０Ａとマグネット３４を備えた第２ユニット２０Ｂとを備え、第１および第２ユニット２０Ａ、２０Ｂが相対的に振動することにより導電コイル２６に誘導起電力を生じさせる構成となっているので、次のような作用効果を得ることができる。
【００９０】
すなわち、発信ユニット２０は基準構造体２に対して上下方向に変位可能な態様で吊り下げられているので、これを下方に引っ張ったり左右に振ったりする操作は極めて自然に行われ得る操作であるが、このような操作によって第１および第２ユニット２０Ａ、２０Ｂの相対振動による振動発電が効率良く行われるようにすることができる。
【００９１】
その際、吊下げ部材４０は発信ユニット２０を基準構造体２に対して上下方向に変位可能な態様で吊り下げているので、発信ユニット２０を下方に引っ張ったり左右に振ったりしたとき、吊下げ部材４０と発信ユニット２０あるいは基準構造体２との連結部分に過大な力が作用してしまうのを未然に防止することができる。
【００９２】
さらに、本実施形態に係る発信装置１０においては、発信ユニット２０に操作紐５０が吊り下げられているので、この操作紐５０を下方へ引っ張ったり左右に振ったりすることにより、発信ユニット２０に所定値以上の振動加速度を加える操作を容易に行うことができる。
【００９３】
しかも、この操作紐５０の上端部には鈴６０が取り付けられているので、発信開始操作と共に鈴６０が鳴るようにすることができる。したがって、予め患者６に対して看護師の呼出し等が必要になったときには鈴６０を鳴らすように説明しておけば、たとえ患者６が発信ユニット２０の機能を全く理解していなくても、鈴６０を鳴らすために患者６が操作紐５０を引っ張る操作を行うだけで、結果として個体識別情報の発信が行われるようにすることができる。また、鈴６０を鳴らすことによって、患者６の近くにいる看護師を直接呼び出すようにすることも可能である。
【００９４】
一方、本実施形態に係る個体識別情報処理システム１００は、サーバー１１０ならびに該サーバー１１０に接続された表示部１２２および発音部１２４によって、発信装置１０から発信された個体識別情報を受信するとともに該個体識別情報を受信したことをその発信元の患者６に関する情報と共に報知する構成となっているので、発信装置１０から発信された個体識別情報に対して看護師等（受信側の主体）が必要な対応措置を採るようにすることが容易に可能となる。
【００９５】
しかも、本実施形態に係る個体識別情報処理システム１００においては、サーバー１１０から看護師等の携帯端末１３０に対して、発信装置１０から発信された個体識別情報を発信元の患者６に関する情報と共に報知する構成となっているので、病院内にいる看護師等が必要な対応措置を迅速に採るようにすることが容易に可能となる。
【００９６】
さらに、本実施形態に係る個体識別情報処理システム１００においては、サーバー１１０から患者６の家族等の携帯端末１４０に対しても、発信装置１０から発信された個体識別情報を発信元の患者６に関する情報と共に報知する構成となっているので、病院外にいる家族等も患者６に関する情報を共有することができる。
【００９７】
上記実施形態においては、発信開始操作として発信ユニット２０に所定値以上の振動加速度を加える際の所定値が０．１Ｇに設定されているものとして説明したが、この所定値を０．１Ｇよりも小さい値（例えば０．０５Ｇ）に設定すれば、個体識別情報の発信が行われやすくすることができ、一方、この所定値を０．１Ｇよりも大きい値（例えば０．２Ｇ）に設定すれば、個体識別情報が誤って発信されてしまわないようにすることが一層容易に可能となる。
【００９８】
上記実施形態においては、基準構造体２が病室の天井であるものとして説明したが、病室の梁や壁あるいはハンガーパイプやカーテンレール等を基準構造体２として設定することも可能である。
【００９９】
上記実施形態においては、発信ユニット２０として、吊下げ部材４０に支持された第１ユニット２０Ａに第２ユニット２０Ｂが収容された構成となっているものとして説明したが、第１および第２ユニット２０Ａ、２０Ｂの位置関係を逆にした構成とすることも可能である。
【０１００】
上記実施形態においては、発信ユニット２０として、第１および第２ユニット２０Ａ、２０Ｂが上下方向の相対振動により発電するように構成されているものとして説明したが、左右方向の相対振動や回転方向の相対振動によって発電するように構成されたものとすることも可能である。
【０１０１】
上記実施形態においては、発信ユニット２０が電磁誘導型の振動発電機としての機能を備えているものとして説明したが、それ以外の振動発電機（例えば圧電型の振動発電機等）としての機能を備えた構成とすることも可能である。
【０１０２】
上記実施形態においては、発信ユニット２０が振動発電機としての機能を備えているものとして説明したが、電池駆動式の加速度センサを備えた構成とした上で、発信ユニット２０に所定値以上の振動加速度を加える操作が行われたことを加速度センサで検出したときに個体識別情報を電波で発信するように構成されたものとすることも可能である。
【０１０３】
上記実施形態においては、発信装置１０が病院で使用される場合について説明したが、介護施設や工場等において使用されるようにすることも可能である。例えば、工場の組立ラインにおいて異常検出や工程完了の意思表示として発信開始操作が行われるようにすることが可能である。さらには、発信装置１０を店舗や個人住宅のインターホンのスイッチとして用いるようにすることも可能である。
【０１０４】
上記実施形態においては、サーバー１１０が病院内のナースセンターに設置されているものとして説明したが、このようなサーバー１１０の代わりにクラウドサーバー等を用いた構成とし、ナースセンターには表示部１２２および発音部１２４のみが設置された構成とすることも可能である。
【０１０５】
次に、上記実施形態に係る発信装置１０の変形例について説明する。
【０１０６】
まず、上記発信装置１０の第１変形例について説明する。
【０１０７】
図６（ａ）は、本変形例に係る発信装置１０１０を示す、図１（ａ）と同様の図である。
【０１０８】
図６（ａ）に示すように、この発信装置１０１０の基本的な構成は上記実施形態の場合と同様であるが、発信ユニット２０の配置が上記実施形態の場合と異なっている。
【０１０９】
すなわち、本変形例においては、操作紐５０の下端部にツマミ５２の代わりに発信ユニット２０が取り付けられており、操作紐５０の上端部が連結環１０５４を介して吊下げ部材４０に吊り下げられている。そして、鈴６０は連結環１０５４に取り付けられている。
【０１１０】
本変形例に係る発信装置１０１０においては、その発信ユニット２０を患者６が掴んだ状態で、該発信ユニット２０に対して上下方向の所定値以上の振動加速度を加える発信開始操作が行われることによって振動発電が行われるように構成されている。
【０１１１】
本変形例の構成を採用した場合においても、上記実施形態の場合と略同様の作用効果を得ることができる。
【０１１２】
次に、上記実施形態の第２変形例について説明する。
【０１１３】
図６（ｂ）は、本変形例に係る発信装置２０１０を示す、図６（ａ）と同様の図である。
【０１１４】
図６（ｂ）に示すように、この発信装置２０１０の基本的な構成は上記実施形態の場合と同様であるが、吊下げ部材２０４０の構成が上記実施形態の場合と異なっている。
【０１１５】
すなわち、本変形例においては、吊下げ部材２０４０が上下方向に延びる帯状のゴムで構成されており、その下端部が連結環２０５４を介して発信ユニット２０の取付け部２０Ａａに連結されている。そして、この吊下げ部材２０４０は、その上端部において連結環２０５６を介して基準構造体２の支持具２ａに取り付けられるようになっている。
【０１１６】
本変形例の構成を採用した場合においても、発信ユニット２０が吊下げ部材２０４０によって基準構造体２に対して上下方向に変位可能な態様で吊り下げられることとなるので、上記実施形態の場合と略同様の作用効果を得ることができる。
【０１１７】
次に、上記実施形態の第３変形例について説明する。
【０１１８】
図６（ｃ）は、本変形例に係る発信装置３０１０を示す、図１（ａ）と同様の図である。
【０１１９】
図６（ｃ）に示すように、この発信装置３０１０の基本的な構成は上記実施形態の場合と同様であるが、吊下げ部材３０４０の構成が上記実施形態の場合と異なっている。
【０１２０】
すなわち、本変形例においては、吊下げ部材３０４０が伸縮自在のリール付コードで構成されている。
【０１２１】
具体的には、この吊下げ部材３０４０は、下端部が発信ユニット２０の取付け部２０Ａａに連結されたコード３０４２と、その途中部分に設けられたリール３０４４とを備えており、そのコード３０４２がリール３０４４によって一定量巻き取られた状態で、その上端部において基準構造体２の支持具２ａに取り付けられるようになっている。そして、この吊下げ部材３０４０は、上下方向の引張荷重が作用するとリール３０４４からコード３０４２を繰り出し、その引張荷重が小さくなるとリール３０４４にコード３０４２を巻き取るようになっている。
【０１２２】
本変形例の構成を採用した場合においても、発信ユニット２０が吊下げ部材３０４０によって基準構造体２に対して上下方向に変位可能な態様で吊り下げられることとなるので、上記実施形態の場合と略同様の作用効果を得ることができる。
【０１２３】
次に、上記実施形態に係る個体識別情報処理システム１００の変形例について説明する。
【０１２４】
図７は、本変形例に係る個体識別情報処理システム２００を示すシステム構成図である。
【０１２５】
この個体識別情報処理システム２００も、発信装置１０の発信ユニット２０から発信された個体識別情報を受信するとともに該個体識別情報を受信したことをその発信元の患者６に関する情報と共に報知する構成となっているが、このような処理が上記実施形態の個体識別情報処理システム１００のようにサーバー１１０を介して行われるだけでなく、病院内にいる看護師等の携帯端末１５０や患者６の家族等の携帯端末１６０においても行われる構成となっている。
【０１２６】
すなわち、看護師等の携帯端末１５０および家族等の携帯端末１６０には、所定のアプリケーションが搭載されており、これによりサーバー１１０と同等の機能を発揮し得る構成となっている。
【０１２７】
そして、看護師等の携帯端末１５０は、発信ユニット２０から近距離無線通信によって送信される個体識別情報を直接受信し、この個体識別情報に対応する患者６に関する情報を、携帯端末１５０の表示部に表示したり音声情報として出力することにより、看護師等に報知するようになっている。
【０１２８】
また、家族等の携帯端末１６０は、発信ユニット２０から近距離無線通信によって送信される個体識別情報を中継器１０８により携帯電話会社の基地局１０６を介して携帯電話回線により受信し、この個体識別情報に対応する患者６に関する情報を、携帯端末１６０の表示部に表示したり音声情報として出力するようになっている。
【０１２９】
本変形例の構成を採用することにより、発信ユニット２０から発信された個体識別情報を、より多くの受信経路を活用して受信可能とすることができる。そしてこれにより、この個体識別情報に対応する患者６に関する情報をより確実に報知することができるので、これに対する必要な対応措置を採ることが一層容易に可能となる。
【０１３０】
なお、上記実施形態およびその変形例において諸元として示した数値は一例にすぎず、これらを適宜異なる値に設定してもよいことはもちろんである。
【０１３１】
また、本願発明は、上記実施形態およびその変形例に記載された構成に限定されるものではなく、これ以外の種々の変更を加えた構成が採用可能である。
【符号の説明】
【０１３２】
２  基準構造体
２ａ  支持具
４  ベッド
６  患者
１０、１０１０、２０１０、３０１０  発信装置
２０  発信ユニット
２０Ａ  第１ユニット
２０Ａａ、２０Ａｂ  取付け部
２０Ｂ  第２ユニット
２２  ケース
２２ａ  係止ピン
２４  コイルホルダ
２６  導電コイル
２６ａ  コイル端末
２８  発信用回路基板
３０  コイルバネ
３２  ヨーク
３４  マグネット
４０、２０４０、３０４０  吊下げ部材
５０  操作紐
５２  ツマミ
６０  鈴
１００、２００  個体識別情報処理システム
１０２、１０４、１０８  中継器
１０６  基地局
１１０  サーバー
１１２  送受信部
１１４  信号処理部
１１６  データベース部
１２２  表示部
１２４  発音部
１３０、１４０、１５０、１６０  携帯端末
１０５４、２０５４、２０５６  連結環
３０４２  コード
３０４４  リール
【図１】
2018056846.tif 000003
【図２】
2018056846.tif 000004
【図３】
2018056846.tif 000005
【図４】
2018056846.tif 000006
【図５】
2018056846.tif 000007
【図６】
2018056846.tif 000008
【図７】
2018056846.tif 000009